(57)【要約】      （修正有）【課題】サンドブラストやダイヤモンドポイントなどで模様を彫り込んだガラス板を壁掛け用途に使った時に、その模様を独特の味で見えるようにする。【解決手段】模様を彫り込んだガラス板１の裏側に、裏板２を設け、且つその両者の間に中板５として光透過性のある素材を設けたもの。また、裏板２として光反射性のあるものを設けた。【選択図】図１
2004155174.tif 000002
【特許請求の範囲】
【請求項１】
サンドブラスト技法やダイヤモンドポイント技法を用いて模様を彫り込んだガラス板（１）を、壁掛け用途して用いる場合などに、そのガラス板の裏側に黒い紙や色の濃い紙の裏板（２）、黒いプラスチックや色の濃いプラスチックの裏板（３）あるいは織布などの裏板を設け、さらに、ガラス板と裏板との間に透明なあるいは半透明な色付きのプラスチック製のシート（５）を設けて一体的に飾る様にした構造。
【請求項２】
請求項１に記載のプラスチック製のシート（５）に代えて、裏板の色の影響を受ける厚みの織布（６）を設けて、一体的に飾るようにした構造。
【請求項３】
サンドブラスト技法やダイヤモンドポイント技法を用いて模様を彫り込んだガラス板（１）を、壁掛け用途して用いる場合などに、金箔、銀箔、アルミ箔、ステンレス箔等の反射性を有するシート（４）や板、あるいはヘアライン加工を施したステンレスシートや板、鱗片アルミ等をコーティングしたシートのような少し反射性を有するシートや板を裏板として設け、一体的に飾るようにした構造。
【請求項４】
請求項１、２、３に記載のプラスチック製シート（５）、反射性シート（４）、織布（６）のいずれかあるいはすべてを、ガラス板の模様に合わせて裏板（２、３、４）に貼りこんだり、３種のシート間で互いに貼り合わせたりして、一体的に飾るようにした構造。
【請求項５】
請求項１、２、３、４に記載の裏板（２、３、４）や中板（５、６）に吊り掛け用の穴（７）を設け、ガラス板の穴に合わせて、同時に吊るようにした構造。
【発明の詳細な説明】
【０００１】
【発明の属する技術分野】
本発明は、室内装飾品の一つとして用いられる模様を彫り込んだガラス板製品を、壁、間仕切りなどの垂直平面に吊りかけて飾る場合などに、その彫り込み画像を、美しく、あるいは今までとは異なる意匠で見えるようにする構造に関するもの。
【０００２】
【従来の技術】
特願２００１−２７１０５３（平成１３年８月６日出願）では、壁掛け用途としてのガラス板の裏側に、黒あるいは色の濃い紙、プラスチック板あるいは織布を当てて、ガラス板に彫りこんだ模様を鮮明に見せる構造を提案している。
【０００３】
この構造は、背景となる壁や内装の色、柄、明暗に無関係に、ブラスト製品やダイヤモンドポイントの模様が鮮明に見えるようにするためのものである。
【０００４】
しかし、裏板として紙やプラスチック板を用いた場合は、色調が単純で且つ色の深みが欠ける傾向にある。また、紙の印刷物がガラス越しに見えているような印象を受ける欠点もある。
【０００５】
【発明が解決しようとする課題】
ガラスに彫りこんだ模様が、より深みのある色調で見えるようにする。あるいは、従来とは全く異なった印象深い見え方をするようにする。
【０００６】
【課題を解決するための手段】
上記の目的を達成するために、本発明においては、ガラスと裏板との間に、さらにプラスチック製の透過性、半透過性シートを設けたり、あるいは、反射性のあるシートを裏板として設けたりするものである。
【０００７】
【発明の実施の形態】
発明の実施の形態を実施例にもとづき図面を参照して説明する。
【０００８】
【実施例】
図１に示す実施例では、模様を彫り込んだガラス板（１）の裏面へ、画用紙（２）を当て、さらに両者の中間に中板として半透明のプラスチックシート（５）を設けた構造を示す。プラスチックシートは画用紙に全面接着している。
【０００９】
図３に示す実施例では、模様を彫り込んだガラス板（１）と黒い不透明なプラスチックを使った裏板（３）との間に中板（６）として、織布を設けたものである。織布はプラスチック板に外周裏面のみボンドで接着している。
【００１０】
図５に示す実施例では、模様を彫り込んだガラス板（１）の裏面へ、反射性のあるアルミ箔を貼りこんだ紙を裏板（４）として設けたものである。
【００１１】
【発明の効果】
本発明は、以上説明したような構造となっているので、サンドブラストなどで彫り込んだ模様が、従来にない色調で見える効果がある。以下具体的に実施例をもとに説明する。
【００１２】
図１の例では、ガラス板は厚さ６ｍｍを使い、ガラス裏面にサンドブラストで模様を彫りこんでいる。裏板には黒い市販の画用紙を使用している。プラスチックシートとしては、（株）インターコスモス社の０．１５ｍｍ厚さの透明な色付きラミネートフィルムを用いた。ラミネートフィルムは、ガラスと裏板との中間にサンドイッチした状態で浮かせてもよいが、この実施例では、裏板に全面熱接着した。このように、プラスチックシートは、ガラスと裏板との中間に存在することが重要であって、裏板に接着されていても本発明に含まれることは、言うまでもない。
【００１３】
この例では、プラスチックの透明なあるいは半透明なフィルムを中間に挿入することで、ガラス表面からサンドブラストした模様を見たときに、艶と奥行きのある深い色調が得られる効果が生じた。
【００１４】
また、画用紙のような紙は、黒以外は、黒っぽい濃い色調のものを手に入れるのが困難であるが、黒い画用紙と色付きのプラスチックシートを組み合わせることで、あるいは普通の色付きの画用紙と同系色系統のプラスチックシートを組み合わせることで濃い色の種類を多く作り出すことができるメリットもある。
【００１５】
図３の実施例では、ガラス板は厚さ６ｍｍを使い、ガラス裏面にサンドブラストで模様を彫りこんでいる。裏板には黒い塩ビ製の厚さ１ｍｍの板を使用し、中板（６）として、織布を設けたものである。図４に示すように、織布は塩ビ板の外周の裏面のみボンドで接着した。
【００１６】
織布には、市販の衣服用裏地を使用した。裏地は厚さが薄く向こう側が若干透けて見える特徴がある。このため、塩ビ板の黒の影響を受け、裏地材単独よりもより黒っぽくなり、ブラスト画像を鮮明に見せる効果を持つとともに、背景に色を付ける効果がある。
【００１７】
この組み合わせでは、ガラス表面から見た時に、しっとりとした深い色調の色合いが得られた。
【００１８】
衣服用の裏地には、比較的多くの濃い色が市販されており、色付の画用紙等の裏板とも組み合わせることで、さらに豊富な色合いを作り出すこともできる。
【００１９】
図５の実施例では、ガラス板は厚さ６ｍｍで、裏面にサンドブラストで模様を彫りこんでいる。裏板には、反射性を有するアルミ箔を貼ったステッカー用のシートを使用した。
【００２０】
通常、ステッカー用のシートには、その裏面に接着用の粘着材が塗布されているが、この粘着材を利用し台紙（１０）に貼り付けた。台紙としては市販の厚紙を用いた。台紙は単なる強度を保つだけのものであって、ここでいう裏板とは異なる。ここでいう裏板は、その色が彫りこみ模様に影響を与えるものを規定している。
【００２１】
反射性のある裏板を使用すると、ブラストで彫っていない部分、つまり通常は黒く見える部分が、見る角度によって黒くなったり、鏡のようになったりとフリップフロップトーン的な味を持って見える。
【００２２】
また、ガラス自体も通常は透明に見えるが、反射性のある裏板を使用するとやや緑っぽくなり、ガラス自体の印象も異なってくる。
【００２３】
ヘアライン加工したアルミシートや鱗片アルミをコーティングしたシートにおいても、より柔らかい感じのフリップフロップトーン的な感じが現れ、独特の味が生じる。
【００２４】
この実施例では、ステッカー用のシートを使用したが、反射性のある金属板を使用しても同じ効果が得られることは言うまでも無い。
【００２５】
以上示したように、中板を加えることで、深みのある色調のブラスト飾りを提供できるし、豊富な色を用意することができるようになる。また、反射性のある裏板を用いることで、独特の雰囲気を持つブラスト飾りとすることもできる。
【００２６】
こうした各種の色の中板素材、裏板素材を用いて、ブラスト模様に合わせて、切り抜きや貼りこみをすることで、モノクロ的な使い方の多かったブラスト製品に、多様な色や部分部分で異なる味の色調を付けることも可能である。
【００２７】
本発明は、額縁に入れる場合にも適用できるが、ブラスト製品は寸法がまちまちであることから額縁を注文の度びに作る必要があること、額縁に入れると額に入れた絵をガラスを通して見ている印象を与えることから、図１、図３に示したように、ガラス板と中板、裏板を同時に吊りかける手法の方がコスト的に優れているし、すっきりと見せる効果もある。
【図面の簡単な説明】
【図１】壁掛け用の模様彫りこみガラス製品の構造の立面図である。
【図２】壁掛け用の模様彫りこみガラス製品の構造の縦断面図である。
【図３】壁掛け用の模様彫りこみガラス製品の構造の立面図である。
【図４】壁掛け用の模様彫りこみガラス製品の構造の部分縦断面図である。
【図５】壁掛け用の模様彫りこみガラス製品の構造の立面図である。
【図６】壁掛け用の模様彫りこみガラス製品の構造の部分縦断面図である。
【符号の説明】
１  ガラス板
２  裏板（紙）
３  裏板（プラスチック板）
４  裏板（アルミ箔）
５  中板（プラスチックシート）
６  中板（織布）
７  吊り掛け用の穴
８  吊り紐
９  房飾り
１０  台紙
【図１】
2004155174.tif 000003
【図２】
2004155174.tif 000004
【図３】
2004155174.tif 000005
【図４】
2004155174.tif 000006
【図５】
2004155174.tif 000007
【図６】
2004155174.tif 000008